(57)【要約】      （修正有）【課題】汎用性がよいユニバーサル携帯ストラップを提供する。【解決手段】接続コンポーネント１と、スプリングロープ３とを備え、接続コンポーネントの上部には開口スプリングリング２が配置され、接続コンポーネントは開口スプリングリングを介してスプリングロープの下端と接続され、スプリングロープの上端にはスプリングフック４が配置され、接続コンポーネントは、接続ピースと接続ピースの上部の中央に配置されたプルベルトとを備え、プルベルトは布リボンであり、布リボンは折り畳まれてプルリングを形成するユニバーサル携帯ストラップを開示し、元の携帯電話カバーのパンチング固定構造の代わりに、カバーと背面にクランプされた接続ピースを採用すると共に、カバー自体の充電ポートを通って出されたプルベルトによりストラップを固定接続し、ストラップの着脱がより便利であると同時に、カバーの完全性が向上し、ストラップ端部にスプリングフックを配置することで、ストラップを容易に外部構造に接続して組合わせ使用できる。【選択図】図１
0003224352.tif 000002
【実用新案登録請求の範囲】
【請求項１】
接続コンポーネント（１）と、スプリングロープ（３）とを備え、前記接続コンポーネント（１）の上部には開口スプリングリング（２）が配置され、前記接続コンポーネント（１）は当該開口スプリングリング（２）を介して前記スプリングロープ（３）の下端と接続され、前記スプリングロープ（３）の上端にはスプリングフック（４）が配置され、
前記接続コンポーネント（１）は、接続ピース（１０１）と、当該接続ピース（１０１）の上部の中央に配置されたプルベルト（１０２）とを備え、前記プルベルト（１０２）は布リボンであり、当該布リボンは折り畳まれてプルリングを形成し、前記開口スプリングリング（２）は当該プルリングの内側に入り込むことを特徴とするユニバーサル携帯ストラップ。
【請求項２】
前記接続ピース（１０１）は、硬質プラスチックピースであり、１ｍｍの厚さを有することを特徴とする請求項１に記載のユニバーサル携帯ストラップ。
【請求項３】
前記スプリングロープ（３）は、螺旋状に延びるロープ本体（３０１）と、２組の取付部とを備え、２組の前記取付部は当該ロープ本体（３０１）の両端に対称的に配置され、前記取付部は固定クリップ（３０２）と取付リング（３０３）を備え、前記固定クリップ（３０２）は前記ロープ本体（３０１）の端部と接続され、前記取付リング（３０３）は前記固定クリップ（３０２）のロープ本体（３０１）から離れた一端に配置されることを特徴とする請求項１に記載のユニバーサル携帯ストラップ。
【請求項４】
前記ロープ本体（３０１）は、鋼線を巻いて作られ、前記ロープ本体（３０１）の外部には蛍光ＰＵプラスチックシールが被覆されていることを特徴とする請求項３に記載のユニバーサル携帯ストラップ。
【請求項５】
前記開口スプリングリング（２）は一組の前記取付リング（３０３）の内側に入り込み、他組の前記取付リング（３０３）は前記スプリングフック（４）に接続されることを特徴とする請求項４に記載のユニバーサル携帯ストラップ。
【請求項６】
前記プルベルト（１０２）は、細長い帯状の構造体であり、当該プルベルト（１０２）は、その中間部に沿って折り畳まれて両端が重なり、且つ、当該プルベルト（１０２）は前記接続ピース（１０１）と接着固定されることを特徴とする請求項１に記載のユニバーサル携帯ストラップ。
【考案の詳細な説明】
【技術分野】
【０００１】
本考案は、携帯電話部品の分野に関し、具体的に、ユニバーサル携帯ストラップに関する。
【背景技術】
【０００２】
スマートフォンの数が増え続けるにつれて、携帯電話のサイズも大きくなり、一部の使用者は携帯電話の携帯のために携帯電話にストラップを接続している。携帯電話のストラップは、携帯電話や携帯電話カバーに吊り掛かる飾りであると共に、携帯に便利で、紛失を防ぐ等の実用的な機能を備えている。
【０００３】
本考案者は、従来技術には少なくとも以下の技術問題が存在することを見出した。即ち、現在、市販される携帯電話のストラップの多くは首掛けタイプであり、それはそれほど美しくなく、携帯に不便であり、屋外の活動で脱落して紛失しやすく、携帯電話カバーの外部でストラップの接続用孔を事前に準備する必要があるため、携帯電話カバーの完全性にも影響を与える。
【考案の概要】
【考案が解決しようとする課題】
【０００４】
本考案は、上記の問題を解決するために、携帯電話と携帯電話カバーとの隙間に配置されたシートによってストラップを固定し、且つ、携帯電話カバー自体の充電ポートの位置を介してストラップを接続し、分解が容易で、汎用性がよいユニバーサル携帯ストラップを提供することを目的とする。
【課題を解決するための手段】
【０００５】
上記の目的を達成するために、本考案は次のような技術案を提供する。
【０００６】
本考案は、接続コンポーネントと、スプリングロープとを備え、前記接続コンポーネントの上部には開口スプリングリングが配置され、前記接続コンポーネントは当該開口スプリングリングを介して前記スプリングロープの下端と接続され、前記スプリングロープの上端にはスプリングフックが配置され、
前記接続コンポーネントは、接続ピースと、当該接続ピースの上部の中央に配置されたプルベルトとを備え、前記プルベルトは布リボンであり、当該布リボンは折り畳まれてプルリングを形成し、前記開口スプリングリングは当該プルリングの内側に入り込むユニバーサル携帯ストラップを提供している。
【０００７】
上記のユニバーサル携帯ストラップによれば、ストラップを携帯電話に接続する必要がある場合、前記プルベルトを前記開口スプリングリングから分離した後、前記接続コンポーネント全体を前記携帯電話カバー内に放置すると共に、プルベルトを携帯電話カバーの事前に留保した充電ポートに沿って取り出し、その後に携帯電話カバーを携帯電話の背面に固定する。この時、接続ピースは携帯電話カバーと携帯電話の背面の隙間に位置し、プルベルトは携帯電話カバーの充電ポートに沿って差し出され、さらに開口スプリングリングは再び前記プルベルトに接続されることで、開口スプリングリングを介してスプリングロープと接続コンポーネントが接続され、携帯電話のストラップと携帯電話の接続動作が完了する。
【０００８】
また、前記接続ピースは、硬質プラスチックピースであり、１ｍｍの厚さを有することが好ましい。
【０００９】
また、前記スプリングロープは、螺旋状に延びるロープ本体と、２組の取付部とを備え、２組の前記取付部は前記ロープ本体の両端に対称的に配置され、前記取付部は固定クリップと取付リングを備え、前記固定クリップは前記ロープ本体の端部と接続され、前記取付リングは前記固定クリップのロープ本体から離れた一端に配置されることが好ましい。
【００１０】
また、前記ロープ本体は、鋼線を巻いて作られ、前記ロープ本体の外部には蛍光ＰＵプラスチックシールが被覆されることが好ましい。
【００１１】
また、前記開口スプリングリングは一組の前記取付リングの内側に入り込み、他組の前記取付リングは前記スプリングフックに接続されることが好ましい。
【００１２】
また、前記プルベルトは、細長い帯状の構造体であり、当該プルベルトは、その中間部に沿って折り畳まれて両端が重なり、且つ、当該プルベルトは前記接続ピースと接着固定されることが好ましい。
【考案の効果】
【００１３】
（１）本考案は、元の携帯電話カバーのパンチング固定構造の代わりに、携帯電話カバーと携帯電話の背面にクランプされた接続ピースを採用すると共に、携帯電話カバー自体の充電ポートを通って出されたプルベルトによってストラップを固定接続し、ストラップの着脱がより便利であると同時に、携帯電話カバーの完全性が向上する。
【００１４】
（２）ストラップの端部にスプリングフックを配置することで、携帯電話のストラップを容易に外部構造に接続して組み合わせ使用することができ、携帯が簡単で、携帯電話の落下や紛失を防止する。
【図面の簡単な説明】
【００１５】
本考案の実施例や従来技術における技術案をより明確に説明するために、以下では、実施例や従来技術の記述で利用する必要がある図面について簡単に説明する。なお、以下に説明する図面は本考案の幾つかの実施例に過ぎず、当業者であれば、これらの図面に基づいて何ら創造的な作業なしに他の図面も得られることが明らかである。
【図１】本考案によるユニバーサル携帯ストラップの正面構造図である。
【図２】本考案によるユニバーサル携帯ストラップの立体構造図である。
【図３】本考案によるユニバーサル携帯ストラップのスプリングロープの構造図である。
【図４】本考案によるユニバーサル携帯ストラップの開口スプリングリングの構造図である。
【考案を実施するための形態】
【００１６】
本考案の目的、技術案及び長所をより明瞭にするために、以下、本考案の技術案について詳しく説明する。勿論、説明している実施例は単に本考案の一部の実施例であり、全ての実施例ではない。本考案における実施例に基づいて、当業者が創造的な作業なしに得られる全ての他の実施例は、いずれも本考案の保護範囲に属する。
【００１７】
図１乃至図４に示すように、本考案は、接続コンポーネント１と、スプリングロープ３とを備え、接続コンポーネント１の上部には開口スプリングリング２が配置され、接続コンポーネント１は当該開口スプリングリング２を介してスプリングロープ３の下端と接続され、スプリングロープ３の上端にはスプリングフック４が配置されるユニバーサル携帯ストラップを提供している。
【００１８】
接続コンポーネント１は、接続ピース１０１と、当該接続ピース１０１の上部の中央に配置されたプルベルト１０２とを備え、当該プルベルト１０２は布リボンであり、当該布リボンは折り畳まれてプルリングを形成し、開口スプリングリング２は当該プルリングの内側に入り込む。プルベルト１０２は、そのしなやかさ及び強さを確保するために、布リボンとし、プルベルト１０２を携帯電話カバーの充電ポートに入り込ませると、プルベルト１０２が占める携帯電話カバーの充電ポートにおける位置空間を低減でき、プルベルト１０２が携帯電話の充電に影響を与えることを回避する。
【００１９】
好ましい実施例として、接続ピース１０１は硬質プラスチックピースであり、且つ、当該接続ピース１０１は１ｍｍの厚さを有することで、接続ピース１０１が携帯電話カバーと携帯電話との間に配置されても携帯電話カバーの取り付け安定性に影響を与えないようにする。接続ピース１０１を携帯電話カバーと携帯電話の背面の隙間に配置することによって、接続ピース１０１で携帯電話カバーの充電ポートから差し出されたプルベルト１０２を支持することができる。また、スプリングロープ３は、螺旋状に延びるロープ本体３０１と、２組の取付部とを備え、２組の取付部は当該ロープ本体３０１の両端に対称的に配置され、且つ、取付部は固定クリップ３０２と取付リング３０３を備え、固定クリップ３０２はロープ本体３０１の端部と接続され、取付リング３０３は固定クリップ３０２のロープ本体３０１から離れた一端に配置される。さらに、当該取付リング３０３と固定クリップ３０２は接着剤により接着固定される。また、ロープ本体３０１は、鋼線を巻いて作られ、ロープ本体３０１の外部には蛍光ＰＵプラスチックシールが被覆されて、ロープ本体３０１の夜間の視認性を向上させ、使用者が夜間に携帯電話のストラップを見つけるのに便利である。開口スプリングリング２は一組の取付リング３０３の内側に入り込み、他組の取付リング３０３はスプリングフック４に接続される。また、プルベルト１０２は、細長い帯状の構造体であり、当該プルベルト１０２はその中間部に沿って折り畳まれて両端が重なり、且つ、当該プルベルト１０２は接続ピース１０１と接着固定される。
【００２０】
上記の構成によれば、ストラップを携帯電話に接続する必要がある場合、プルベルト１０２を開口スプリングリング２から分離した後、接続コンポーネント１全体を携帯電話カバー内に放置すると共に、プルベルト１０２を携帯電話カバーの事前に留保した充電ポートに沿って取り出し、その後に、携帯電話カバーを携帯電話の背面にカバーする。この時、接続ピース１０１は携帯電話カバーと携帯電話の背面の隙間に位置し、プルベルト１０２は携帯電話カバーの充電ポートに沿って差し出され、さらに開口スプリングリング２を再びプルベルト１０２に接続させることで、開口スプリングリング２を介してスプリングロープ３と接続コンポーネント１を接続させ、携帯電話のストラップと携帯電話の接続動作が完了する。
【００２１】
元の携帯電話カバーのパンチング固定構造の代わりに、携帯電話カバーと携帯電話の背面にクランプされた接続ピース１０１を採用すると共に、携帯電話カバー自体の充電ポートを通って出されたプルベルト１０２によってストラップを固定接続し、ストラップの着脱がより便利であると同時に、携帯電話カバーの完全性が向上する。また、ストラップの端部にスプリングフック４を配置することで、携帯電話のストラップを容易に外部構造に接続して組み合わせ使用することができ、携帯が簡単で、携帯電話の落下や紛失を防止する。
【００２２】
以上の説明は、単に本考案の具体的な実施例に過ぎず、本考案の保護範囲はこれに限定されない。なお、本考案に開示された技術範囲内で、当業者が容易に想到できる変化や取替はいずれも本考案の保護範囲に含まれる。よって、本考案の保護範囲は実用新案登録請求の範囲によって決定されるべきである。
【符号の説明】
【００２３】
１  接続コンポーネント、１０１  接続ピース、１０２  プルベルト、２  開口スプリングリング、３  スプリングロープ、３０１  ロープ本体、３０２  固定クリップ、３０３  取付リング、４  スプリングフック。
【図１】
0003224352.tif 000003
【図２】
0003224352.tif 000004
【図３】
0003224352.tif 000005
【図４】
0003224352.tif 000006